【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
装置であって、
入力ノード、
前記入力ノードに結合される内部コンデンサ、
出力ノード、及び、
ｄｙｉｎｇ  ｇａｓｐ充電コントローラ、
を含み、
前記ｄｙｉｎｇ  ｇａｓｐ充電コントローラが、
前記入力ノード及び前記出力ノードに結合されるダンプ回路であって、前記出力ノードの電圧がプリチャージ電圧より小さいとき、スタートアップ時に前記入力ノードから前記出力ノードへチャージを提供し、前記入力ノードの電圧がｇａｓｐ電圧を下回るとき、前記出力ノードから前記入力ノードへチャージを提供する、前記ダンプ回路と、
前記入力ノード及び前記出力ノードに結合されるポンプ回路であって、前記出力ノードの電圧が充電電圧より小さいとき、前記入力ノードから前記出力ノードへチャージを提供する、前記ポンプ回路と、
を含む、装置。
【請求項２】
請求項１に記載の装置であって、
前記ダンプ回路が、
第１の受動電極と第２の受動電極と制御電極とを有する第１のトランジスタであって、前記第１のトランジスタの前記第１の受動電極が前記入力ノードに結合される、前記第１のトランジスタ、
前記入力ノードと前記第１のトランジスタの前記制御電極とに結合される電流リミッタ、
第１の受動電極と第２の受動電極と制御電極とを有する第２のトランジスタであって、前記第１のトランジスタの前記第１の受動電極が前記第１のトランジスタの前記第２の受動電極に結合され、前記第２のトランジスタの前記第２の受動電極が前記出力ノードに結合される、前記第２のトランジスタ、及び、
第１の入力端子と第２の入力端子と出力端子とを有する増幅器であって、前記増幅器の前記第１の入力端子が前記入力ノードに結合され、前記増幅器の前記第２の入力端子が前記ｇａｓｐ電圧を受信し、前記増幅器の前記出力端子が前記第２のトランジスタの前記制御電極に結合される、前記増幅器、
を更に含む、装置。
【請求項３】
請求項２に記載の装置であって、
前記第１のトランジスタが、前記第１の受動電極がソースであり、前記第２の受動電極がドレインであり、前記制御電極がゲートである、ＰＭＯＳトランジスタである、装置。
【請求項４】
請求項３に記載の装置であって、
前記第２のトランジスタが、前記第１の受動電極がドレインであり、前記第２の受動電極がソースであり、前記制御電極がゲートである、ＰＭＯＳトランジスタである、装置。
【請求項５】
請求項１に記載の装置であって、
前記ポンプ回路が、
前記入力ノードに結合される低ドロップアウト（ＬＤＯ）レギュレータ、及び
前記ＬＤＯレギュレータと前記出力ノードとの間に結合されるチャージポンプ、
を更に含む、装置。
【請求項６】
請求項１に記載の装置であって、
前記ポンプ回路がチャージポンプを更に含む、装置。
【請求項７】
請求項１に記載の装置であって、
前記ポンプ回路が昇圧型コンバータを更に含む、装置。
【請求項８】
装置であって、
入力ノード、
前記入力ノードに結合される第１のコンデンサ、
出力ノード、
ｄｙｉｎｇ  ｇａｓｐ充電コントローラであって、
そのソースで前記入力ノードに結合される第１のＰＭＯＳトランジスタと、
前記入力ノードと前記第１のＰＭＯＳトランジスタのゲートとに結合される電流リミッタと、
そのドレインで前記第１のＰＭＯＳトランジスタの前記ドレインに及びそのソースで前記出力ノードに結合される第２のＰＭＯＳトランジスタと、
第１の入力端子と第２の入力端子と出力端子とを有する増幅器であって、前記増幅器の前記第１の入力端子が前記入力ノードに結合され、前記増幅器の前記第２の入力端子がｇａｓｐ電圧を受信し、前記増幅器の前記出力端子が前記第２のＰＭＯＳトランジスタのゲートに結合される、前記増幅器と、
前記入力ノード及び前記出力ノードに結合されるポンプ回路であって、前記出力ノードの電圧が充電電圧より小さいとき、前記入力ノードから前記出力ノードにチャージを提供する、前記ポンプ回路と、
を含む、前記ｄｙｉｎｇ  ｇａｓｐ充電コントローラ、及び
前記出力ノードに結合される第２のコンデンサ、
を含む、装置。
【請求項９】
請求項８に記載の装置であって、
前記ポンプ回路が、
前記入力ノードに結合されるＬＤＯレギュレータ、及び
前記ＬＤＯレギュレータと前記出力ノードの間に結合されるチャージポンプ、
を更に含む、装置。
【請求項１０】
請求項９に記載の装置であって、
前記ＬＤＯレギュレータが、
そのソースで前記入力ノードに結合される第３のＰＭＯＳトランジスタ、及び、
第１の入力端子と第２の入力端子と出力端子とを有する第２の増幅器であって、前記第２の増幅器の前記第１の入力端子が前記充電電圧を受信し、前記第２の増幅器の前記第２の入力端子が前記出力ノードに結合され、前記第２の増幅器の前記出力端子が前記第３のＰＭＯＳトランジスタのゲートに結合される、前記第２の増幅器、
を更に含む、装置。
【請求項１１】
請求項１０に記載の装置であって、
前記チャージポンプが、
前記第３のＰＭＯＳトランジスタのドレインに結合される第１のダイオード、
前記第１のダイオードと前記出力ノードとの間に結合される第２のダイオード、及び、
前記第１及び第２のダイオードの間のノードに結合され、かつスイッチングノードに結合される第３のコンデンサ、
を更に含む、装置。
【請求項１２】
請求項１１に記載の装置であって、
前記装置が、前記第３のコンデンサに結合される前記スイッチングノードを有するバック・コンバータを更に含む、装置。
【請求項１３】
請求項８に記載の装置であって、
前記ポンプ回路がブースト・レギュレータを更に含む、装置。
【請求項１４】
請求項８に記載の装置であって、
前記ダンプ回路がチャージポンプを更に含む、装置。
【請求項１５】
装置であって、
入力ノード、
前記入力ノードに結合される第１のコンデンサ、
出力ノード、
バック・コンバータであって、
そのドレインで前記入力ノードに及びそのソースでスイッチングノードに結合される第１のＮＭＯＳトランジスタと、
そのドレインで前記スイッチングノードに及びそのソースで接地に結合される第２のＮＭＯＳトランジスタと、
前記第１及び第２のＮＭＯＳトランジスタのゲートに結合されるパルス幅変調器（ＰＷＭ）と、
を有する、前記バック・コンバータ、
ｄｙｉｎｇ  ｇａｓｐ充電コントローラであって、
そのソースで前記入力ノードに結合される第１のＰＭＯＳトランジスタと、
前記入力ノードと前記第１のＰＭＯＳトランジスタのゲートとに結合される電流リミッタと、
そのドレインで前記第１のＰＭＯＳトランジスタのドレインに及びそのソースで前記出力ノードに結合される第２のＰＭＯＳトランジスタと、
第１の入力端子と第２の入力端子と出力端子とを有する第１の増幅器であって、前記第１の増幅器の前記第１の入力端子が前記入力ノードに結合され、前記第１の増幅器の前記第２の入力端子がｇａｓｐ電圧を受信し、前記第１の増幅器の前記出力端子が前記第２のＰＭＯＳトランジスタのゲートに結合される、前記第１の増幅器と、
そのソースで前記出力ノードに結合される第３のＰＭＯＳトランジスタと、
第１の入力端子と第２の入力端子と出力端子とを有する第２の増幅器であって、前記第２の増幅器の前記第１の入力端子が前記充電電圧を受信し、前記第２の増幅器の前記第２の入力端子が前記出力ノードに結合され、前記第２の増幅器の前記出力端子が前記第３のＰＭＯＳトランジスタのゲートに結合される、前記第２の増幅器と、
前記第３のＰＭＯＳトランジスタのドレインに結合される第１のダイオードと、
前記第１のダイオードと前記出力ノードとの間に結合される第２のダイオードと、
前記第１及び第２のダイオードの間のノードに結合され、かつスイッチングノードに結合される第２のコンデンサと、
を含む、前記ｄｙｉｎｇ  ｇａｓｐ充電コントローラ、及び、
前記出力ノードに結合される第３のコンデンサ、
を含む、装置。